【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】  繊維ウェブを一対のロールに通過させて、２０％よりも大きい割合の接着領域を有する熱接着布を得ることを含んでなり、当該割合の接着領域が該ロールの１つにある隆起した彫刻パターンによって形成され、該彫刻パターンが複数の接着ポイントを有し、接着ポイントが２０°よりも大きい接着ポイント角度を有する、不織布の製造方法。
【請求項２】  接着領域の割合が少なくとも２４％である、請求項１に記載の方法。
【請求項３】  接着ポイントが、３５°であるか又はそれよりも大きい接着ポイント角度を有する、請求項１または請求項２に記載の方法。
【請求項４】  該繊維ウェブがポリエチレンを含んでなる、請求項１、請求項２または請求項３に記載の方法。
【請求項５】  請求項１〜４のいずれかに記載の方法により製造された布。
【請求項６】  熱接着された不織布であって、ポリマーを含んでなり、該布がエンボス加工面を有するとともに２０％よりも大きい割合の接着領域を含んでなり、該接着領域が複数の接着ポイントを有する接着パターンを含んでなり、該接着ポイントが２０°よりも大きい接着ポイント角度を有する不織布。
【請求項７】  該布がポリエチレンを含んでなる、請求項６に記載の不織布。
【請求項８】  接着領域の割合が少なくとも２４％である、請求項６または請求項７に記載の不織布。
【請求項９】  接着ポイント角度が３５°であるか又はそれよりも大きい、請求項６、請求項７または請求項８に記載の不織布。
【請求項１０】  該接着パターンが少なくとも２．３１×１０5 接着ポイント／平方メートルを有する、請求項６、請求項７または請求項８に記載の不織布。
【請求項１１】  該接着パターンが少なくとも４．６×１０5 接着ポイント／平方メートルを有する、請求項１０に記載の不織布。
【請求項１２】  該ポリエチレンがエチレンのホモポリマーであるか又はエチレンとコモノマーのコポリマーである、請求項６、請求項７または請求項８に記載の不織布。
【請求項１３】  該ポリエチレンがメタロセン触媒の存在下で得られるものである、請求項１２に記載の不織布。
【請求項１４】  該ポリエチレンが束縛されたジオメトリー触媒の存在下で得られるものである、請求項１２に記載の不織布。
【請求項１５】  該ポリエチレンがシングルサイト触媒の存在下で得られるものである、請求項１２に記載の不織布。
【手続補正２】
【補正対象書類名】明細書
【補正対象項目名】０００３
【補正方法】変更
【補正の内容】
【０００３】
不織布はまた、多数の他の方法、例えば、スパンレース法（spunlacing）または水流交絡法（米国特許第３，４８５，７０６号および米国特許第４，９３９，０１６号に開示されている）により；短繊維のカード加工(carding）および熱接着(thermal bonding）により；一連続処理における連続繊維のスパンボンド法（spunbonding)により；繊維の布へのメルトブロー加工（melt blowing）および次に得られたウェブのカレンダー加工(calendering）または熱接着；等によっても製造できる。国際公開公報ＷＯ９９ ６５３５２ Ａには、複数の離散した非接着領域を画定する連続的な接着領域を有する不織ウェブが開示されている。この非接着領域は複数の開口を有するパターンロールにより形成される。米国特許ＵＳ−Ａ−４，０３５，２１９号には、不織構造、方法および装置が開示されている。開示されている接着領域は約１〜２０％である。
【手続補正３】
【補正対象書類名】明細書
【補正対象項目名】００１８
【補正方法】変更
【補正の内容】
【００１８】
接着ポイントは、接着ポイント角度および接着領域からなる。図３Ａ〜Ｉを参照すると、接着ポイント角度および接着領域が異なる種々の接着ポイントパターンが示されている。接着ポイント角度とは、該接着ポイントが彫刻ロールから延びる角度をいう。接着ポイント角度は約２０度以上、好ましくは約３５度以上、より好ましくは約３７度以上、更に好ましくは約４２度以上、一層更に好ましくは約４６度以上である。図３Ａは、４６°の角度、２０％の接着領域、３．４４×１０5 ポイント／ｍ2 （２２２ポイント／インチ2 ）、４．３２×１０-4 ｍ（０．０１７インチ）のベース高、および７．６２×１０-4 ｍ（０．０３インチ）のポイント幅を有する接着パターン１について示すものである。図３Ｂは、２０°の角度、１６％の接着領域、３．４４×１０5 ポイント／ｍ2 （２２２ポイント／インチ2 ）、４．３２×１０-4 ｍ（０．０１７インチ）のベース高、および６．８６×１０-4 ｍ（０．０２７インチ）のポイント幅を有する接着パターン２について示すものである。図３Ｃは、２０°の角度、２４％の接着領域、３．４４×１０5 ポイント／ｍ2 （２２２ポイント／インチ2 ）、４．３２×１０-4 ｍ（０．０１７インチ）のベース高、および８．３８×１０-4 ｍ（０．０３３インチ）のポイント幅を有する接着パターン３について示すものである。図３Ｄは、２０°の角度、２０％の接着領域、２．３１×１０5 ポイント／ｍ2 （１４９ポイント／インチ2 ）、４．３２×１０-4 ｍ（０．０１７インチ）のベース高、および９．３０×１０-4 ｍ（０．０３６６インチ）のポイント幅を有する接着パターン４について示すものである。図３Ｅは、２０°の角度、２０％の接着領域、４．６０×１０5 ポイント／ｍ2 （２９７ポイント／インチ2 ）、４．３２×１０-4 ｍ（０．０１７インチ）のベース高、および６．６０×１０-4 ｍ（０．０２６インチ）のポイント幅を有する接着パターン５について示すものである。図３Ｆは、４２°の角度、１６％の接着領域、３．４４×１０5 ポイント／ｍ2 （２２２ポイント／インチ2 ）、４．３２×１０-4 ｍ（０．０１７インチ）のベース高、および６．８６×１０-4 ｍ（０．０２７インチ）のポイント幅を有する接着パターン６について示すものである。図３Ｇは、３７°の角度、２４％の接着領域、３．４４×１０5 ポイント／ｍ2 （２２２ポイント／インチ2 ）、４．３２×１０-4 ｍ（０．０１７インチ）のベース高、および８．３８×１０-4 ｍ（０．０３３インチ）のポイント幅を有する接着パターン７について示すものである。図３Ｈは、４６°の角度、２０％の接着領域、２．３１×１０5 ポイント／ｍ2 （１４９ポイント／インチ2 ）、４．３２×１０-4 ｍ（０．０１７インチ）のベース高、および９．３×１０-4 ｍ（０．０３６６インチ）のポイント幅を有する接着パターン８について示すものである。図３Ｉは、３５°の角度、２０％の接着領域、４．６０×１０5 ポイント／ｍ2 （２９７ポイント／インチ2 ）、４．３２×１０-4 ｍ（０．０１７インチ）のベース高、および６．６０×１０-4 ｍ（０．０２６インチ）のポイント幅を有する接着パターン９について示すものである。
【手続補正４】
【補正対象書類名】明細書
【補正対象項目名】００８２
【補正方法】変更
【補正の内容】
【００８２】
図３Ａは、４６°の角度、２０％の接着領域、３．４４×１０5 ポイント／ｍ2 （２２２ポイント／インチ2 ）、４．３２×１０-4 ｍ（０．０１７インチ）のベース高、および７．６２×１０-4 ｍ（０．０３インチ）のポイント幅を有する接着パターン１について示すものである。図３Ｂは、２０°の角度、１６％の接着領域、３．４４×１０5 ポイント／ｍ2 （２２２ポイント／インチ2 ）、４．３２×１０-4 ｍ（０．０１７インチ）のベース高、および６．８６×１０-4 ｍ（０．０２７インチ）のポイント幅を有する接着パターン２について示すものである。図３Ｃは、２０°の角度、２４％の接着領域、３．４４×１０5 ポイント／ｍ2 （２２２ポイント／インチ2 ）、４．３２×１０-4 ｍ（０．０１７インチ）のベース高、および８．３８×１０-4 ｍ（０．０３３インチ）のポイント幅を有する接着パターン３について示すものである。図３Ｄは、２０°の角度、２０％の接着領域、２．３１×１０5 ポイント／ｍ2 （１４９ポイント／インチ2 ）、４．３２×１０-4 ｍ（０．０１７インチ）のベース高、および９．３０×１０-4 ｍ（０．０３６６インチ）のポイント幅を有する接着パターン４について示すものである。図３Ｅは、２０°の角度、２０％の接着領域、４．６０×１０5 ポイント／ｍ2 （２９７ポイント／インチ2 ）、４．３２×１０-4 ｍ（０．０１７インチ）のベース高、および６．６０×１０-4 ｍ（０．０２６インチ）のポイント幅を有する接着パターン５について示すものである。図３Ｆは、４２°の角度、１６％の接着領域、３．４４×１０5 ポイント／ｍ2 （２２２ポイント／インチ2 ）、４．３２×１０-4 ｍ（０．０１７インチ）のベース高、および６．８６×１０-4 ｍ（０．０２７インチ）のポイント幅を有する接着パターン６について示すものである。図３Ｇは、３７°の角度、２４％の接着領域、３．４４×１０5 ポイント／ｍ2 （２２２ポイント／インチ2 ）、４．３２×１０-4 ｍ（０．０１７インチ）のベース高、および８．３８×１０-4 ｍ（０．０３３インチ）のポイント幅を有する接着パターン７について示すものである。図３Ｈは、４６°の角度、２０％の接着領域、２．３１×１０5 ポイント／ｍ2 （１４９ポイント／インチ2 ）、４．３２×１０-4 ｍ（０．０１７インチ）のベース高、および９．３×１０-4 ｍ（０．０３６６インチ）のポイント幅を有する接着パターン８について示すものである。図３Ｉは、３５°の角度、２０％の接着領域、４．６０×１０5 ポイント／ｍ2 （２９７ポイント／インチ2 ）、４．３２×１０-4 ｍ（０．０１７インチ）のベース高、および６．６０×１０-4 ｍ（０．０２６インチ）のポイント幅を有する接着パターン９について示すものである。
【手続補正５】
【補正対象書類名】図面
【補正対象項目名】図３Ａ−３Ｅ
【補正方法】変更
【補正の内容】
【図３Ａ−３Ｅ】
2004515664.tif 000001
【手続補正６】
【補正対象書類名】図面
【補正対象項目名】図３Ｆ−３Ｉ
【補正方法】変更
【補正の内容】
【図３Ｆ−３Ｉ】
2004515664.tif 000002